(57)【要約】【課題】レンズにコネクタを配置する必要がなくなり、防水性および防塵性の向上を可能とするレンズシステムを提供することにある。【解決手段】レンズユニットから非接触給電回路を用いて、電源供給および信号取得を実施することにより、防水性および防塵性に優れたレンズシステムを実現することが可能となる。【選択図】図１
2016157032.tif 000002
【特許請求の範囲】
【請求項１】
１つ以上の可動光学部材と、前記可動光学部材の位置を検出するための位置検出部と、カメラと通信を行う第１の通信部をもつレンズと、取り外し可能な駆動ユニットを備えたレンズシステムにおいて、前記レンズは、前記駆動ユニットに電源を供給するための非接触給電回路と、前記駆動ユニットと通信するための第２の通信部を有し、前記駆動ユニットは、前記レンズより電源を受け取るための非接触受電回路と、前記レンズとの通信を行うための第３の通信部を有することを特徴とするレンズシステム。
【請求項２】
前記レンズは、レンズを駆動する場合には前記非接触給電回路から供給する電力を増大し、レンズを駆動しない場合には、記非接触給電回路から供給する電力を低減する給電制御部を有することを特徴とする請求項１に記載のレンズシステム。
【請求項３】
前記非接触給電回路を前記レンズにおける前記駆動ユニット取付け面側に配置し、前記非接触受電回路を前記駆動ユニットにおける前記レンズ取付け面側に配置することを特徴とする請求項１に記載のレンズシステム。
【請求項４】
前記非接触給電回路を前記レンズにおけるリレー鏡筒面に配置し、前記非接触受電回路を前記駆動ユニットにおけるカメラマウント側側面に配置することを特徴とする請求項１に記載のレンズシステム。
【請求項５】
１つ以上の可動光学部材と、前記可動光学部材の位置を検出するための位置検出部と、カメラと通信を行う第１の通信部をもつレンズと、取り外し可能な駆動ユニットを備えたレンズシステムにおいて、前記レンズは、前記駆動ユニットから電源を受け取るための非接触受電回路と、前記駆動ユニットと通信するための第２の通信部を有し、前記駆動ユニットは、前記レンズに電源を供給するための非接触給電回路と、前記レンズとの通信を行うための第３の通信部を有することを特徴とするレンズシステム。
【請求項６】
前記非接触受電回路を前記レンズにおける前記駆動ユニット取付け面側に配置し、前記非接触給電回路を前記駆動ユニットにおける前記レンズ取付け面側に配置することを特徴とする請求項５に記載のレンズシステム。
【請求項７】
前記非接触受電回路を前記レンズにおけるリレー鏡筒面に配置し、前記非接触給電回路を前記駆動ユニットにおけるカメラマウント側側面に配置することを特徴とする請求項５に記載のレンズシステム。
【発明の詳細な説明】
【技術分野】
【０００１】
本発明は、非接触給電手段を有するレンズシステムに関する。
【背景技術】
【０００２】
従来、映画撮影用に使用されていたレンズは、フォーカスやアイリス、ズームといった各可動部の操作を人の手によって操作していた。近年、その映画撮影用レンズと動画撮影機能を搭載した静止画撮影用カメラを組み合わせて、テレビコマーシャル撮影などに使用される機会が増加していた。テレビコマーシャル撮影時にこれまで放送用レンズを使用していた一部のユーザは、映画撮影用レンズに電動ユニットを取り付けて、放送用レンズ相当の使用形態で撮影する場合があった（特許文献１）。
【先行技術文献】
【特許文献】
【０００３】
【特許文献１】特開2005-043714号公報
【発明の概要】
【発明が解決しようとする課題】
【０００４】
しかしながら、上記従来の方法では、電動ユニットとレンズを電気的に接続するためのコネクタが必要であった。さらにレンズにコネクタを取り付けることにより、密閉性を維持することが難しくなり、光学性能や耐環境性能に影響を与える防水性や防塵性を向上する対策が望まれていた。
【０００５】
本発明の目的は、レンズにコネクタを配置する必要がなくなり、防水性および防塵性の向上を可能とするレンズシステムを提供することにある。
【課題を解決するための手段】
【０００６】
上記の目的を達成するために、本発明は、１つ以上の可動光学部材と、前記可動光学部材の位置を検出するための位置検出部と、カメラと通信を行う第１の通信部をもつレンズと、取り外し可能な駆動ユニットを備えたレンズシステムにおいて、前記レンズは、前記駆動ユニットに電源を供給するための非接触給電回路と、前記駆動ユニットと通信するための第２の通信部を有し、前記駆動ユニットは、前記レンズより電源を受け取るための非接触受電回路と、前記レンズとの通信を行うための第３の通信部を有することを特徴とする。
【発明の効果】
【０００７】
本発明のレンズシステムによれば、レンズにコネクタを配置する必要がなくなり、防水性および防塵性の向上を可能とする効果が得られる。
【図面の簡単な説明】
【０００８】
【図１】第1の実施例の構成図である。
【図２】第1の実施例の動作を説明するためのフローチャートである。
【図３】第1の実施例の動作を説明するためのフローチャートである。
【図４】第1の実施例の配置図である。
【図５】第２の実施例の構成図である。
【図６】第２の実施例の動作を説明するためのフローチャートである。
【図７】第３の実施例の構成図である。
【図８】第３の実施例の動作を説明するためのフローチャートである。
【図９】第４の実施例の構成図である。
【図１０】第４の実施例の動作を説明するためのフローチャートである。
【図１１】第４の実施例の動作を説明するためのフローチャートである。
【発明を実施するための形態】
【０００９】
［実施例１］
以下に、本発明の実施の形態を添付の図１から図４の図面に基づいて詳細に説明する。図１は本発明を適用できる第1の実施例におけるレンズシステムの構成図である。１００はレンズを着脱可能なカメラであり、２００はレンズ、３００はレンズ２００に着脱可能なレンズ駆動ユニットである。１０１は、レンズ２００との通信およびカメラ１００の各機能を制御するためのカメラ制御部である。２０１は被写体像の焦点を調節するためのフォーカス部であり、２０２はフォーカス部２０１の位置を検出するための位置検出部、２０３は、位置検出部２０２などに電源を供給するためのレンズ電源部である。
【００１０】
つづいて２０４はレンズ駆動ユニット３００に非接触給電するための給電制御部であり、２０５は、カメラ１００および駆動ユニット３００と通信するためのレンズ通信部である。つぎに３０１はレンズ２００から供給される電力を非接触受電するための受電コイルであり、３０２は受電コイルの出力電圧を整流するための電圧整流部、３０３は駆動ユニット３００の各部に電源を供給するための駆動ユニット電源部である。
【００１１】
そして、３０４はレンズ通信部２０５と通信するための駆動ユニット通信部であり、３０５はフォーカス部２０１を駆動するためのモータであり、３０６はモータに電流を供給するためのレンズ駆動部である。３０７はフォーカス部２０１を制御するための制御部である。本実施例では、レンズ通信部２０５をCPU２１０で、駆動ユニット通信部３０４および制御部３０７をCPU310でそれぞれ実現している。
【００１２】
以下に図２のフローチャートに沿って、CPU２１０で実現したレンズ通信部２０５の動作を詳細に説明する。不図示のカメラ電源スイッチがONになるとカメラ制御部１０１に電源が供給され、さらにカメラ制御部１０１からレンズ電源部２０３およびレンズ通信部２０５に電源供給される。電源を供給されたレンズ通信部２０５は、S101にすすみ、カメラ制御部１０１との通信を初期化し、S102では駆動ユニット通信部３０４との通信を初期化する。
【００１３】
駆動ユニット３００が取り付けられており、駆動ユニット通信部３０４との通信初期化が完了した場合は、通信初期化フラグInitFlag（以後、InitFlagと記載する。）を’１’に設定する。一方、駆動ユニットが取りついておらず、駆動ユニット通信部３０４との通信初期化が完了しなかった場合は、InitFlagを’０’に設定し、いずれの場合もS103にすすむ。S103では、カメラ制御部１０１からフォーカス制御信号を受信してS104にすすみ、フォーカス位置信号を位置検出部２０２より入力し、S105では入力したフォーカス位置信号をカメラ制御部１０１に送信する。
【００１４】
次にS106では、S102において設定したInitFlagを判断し、InitFlagが’１’に設定されている場合は、駆動ユニット３００が接続されていると判断し、S107にすすんでフォーカス制御信号を駆動ユニット通信部３０４に送信する。つづけて、S108ではフォーカス位置信号を駆動ユニット通信部３０４に送信し、S109にすすみモータ駆動状態信号ActFlag（以後、ActFlagと記載する。）を駆動ユニット通信部３０４から受信する。
【００１５】
さらにレンズ通信部２０５は、S110においてActFlagを受信したか否かを判断し、ActFlagを受信した場合は、S111にすすみActFlagの値を判断する。S111において、ActFlagが’１’の場合は、モータ３０５を駆動する要求が有ると判断し、S112で給電制御部２０４に供給する電流を増加し、S103にジャンプする。一方S111においてActFlagが’０’の場合は、S113にすすみ給電制御部２０４に供給する電流を低減し、S103にジャンプする。
【００１６】
一方、S110においてActFlagを受信しなかった場合と、S106においてInitFlagが’０’に設定されている場合は、S102にジャンプし、再度駆動ユニットとの通信初期化を実行する。
【００１７】
以後、レンズ電源部２０３への電源供給が切断されるまで、S102からS113を繰り返し実行する。つづいて、図３のフローチャートに沿って、駆動ユニットに構成されているCPU３１０の動作を詳細に説明する。
【００１８】
不図示のカメラ電源スイッチがONになると給電制御部２０４から受電コイル３０１に非接触給電により電力が供給される。受電コイル３０１から電圧整流部３０２、電源部３０３を経て、CPU３１０に電源が供給される。電源を供給されたCPU３１０は、S201にすすみ、レンズ通信部２０５との通信を初期化し、S202ではフォーカス制御信号をレンズ通信部２０５から受信する。つぎに、S203においてフォーカス位置信号をレンズ通信部２０５から受信し、S204ではフォーカス制御信号とフォーカス位置信号を用いて、フォーカス駆動信号を演算する。
【００１９】
そして、S205においてフォーカス駆動信号の値を判断し、’０’でない場合はS206にすすみモータ駆動フラグActFlag（以後、ActFlagと記載する。）を’１’に設定し、S208にすすむ。一方で、S205においてフォーカス駆動信号の値が’０’の場合は、S207にすすみActFlagを’０’に設定し、S208にジャンプする。ここで、フォーカス駆動信号の判断条件を’０’相当の値としても同様の効果を得ることができる。つづいてCPU３１０はS208にすすみ、ActFlagをレンズ通信部２０５に送信し、S209ではレンズ駆動部３０６にフォーカス駆動信号を出力し、モータ３０５を駆動する。以後、電源部３０３への電源供給が切断されるまで、S202からS209を繰り返し実行する。
【００２０】
図４に本実施例における給電制御部２０４と受電コイル３０１の配置図を示す。本実施例では、図４(ａ)に示すように給電制御部２０４をレンズ２００における駆動ユニット３００取付け面側に配置し、受電コイル３０１は駆動ユニット３００におけるレンズ２００取付け面側に配置している。また図４(ｂ)に示すように給電制御部２０４をレンズ２００のリレー鏡筒部に配置し、受電コイル３０１をその対面側に配置しても同様の効果を得ることが可能である。
【００２１】
［実施例２］
以下に、本発明の実施の形態を添付の図５から図６の図面に基づいて詳細に説明する。図５は本発明を適用できる第２の実施例におけるレンズシステムの構成図である。図１と同じ構成要素には、図１と同じ符号を付したので、説明は省略する。図５の４００は、カメラ１００に着脱可能なレンズで、４０１は変倍作用をもつズーム部である。４０２はズーム部４０１の位置を検出する位置検出部、４０３はズーム部４０１を駆動するためのモータ、４０４は、モータ４０３に供給する電流を増幅するための電流増幅部である。４０５はカメラ１００および駆動ユニット３００と通信し、ズーム部制御信号を演算するレンズ制御部である。
【００２２】
つぎに５００は駆動ユニットであり、５０１はズーム部４０１を操作するための操作部である。本実施例では、レンズ制御部４０５をCPU４１０で実現している。
【００２３】
以下に図６のフローチャートに沿って、CPU４１０で実現したレンズ制御部４０５の動作を詳細に説明する。図２と同じ処理には、図２と同じ符号を付したので、説明は省略する。不図示のカメラ電源スイッチがONになるとカメラ制御部１０１およびレンズ電源部２０３を経て、レンズ制御部４０５に電源供給されると、S101にすすむ。S101およびS102は図２と同じであるので、説明を省略する。S102からS303にすすんだレンズ制御部４０５は、ズーム制御信号をカメラ制御部１０１から受信し、S304では初期化完了フラグInitFlagを判断する。（以後、InitFlagと記載する。）S304において、InitFlagが’１’の場合は、S305にすすみズーム操作信号を駆動ユニット通信部３０４から受信し、S306ではズーム位置信号を位置検出部４０２より入力する。一方S304において、InitFlagが’０’の場合は、S306にジャンプする。
【００２４】
つぎにS307では、ズーム制御信号およびズーム操作信号、ズーム位置信号を用いてズーム駆動信号を演算して、S308にすすみズーム駆動信号を電流増幅部４０４に出力する。そしてS309では、ズーム位置信号をカメラ制御部１０１に送信する。以後、レンズ電源部２０３への電源供給が切断されるまで、S303からS309を繰り返し実行する。
【００２５】
［実施例３］
以下に、本発明の実施の形態を添付の図７から図８の図面に基づいて詳細に説明する。
図７は本発明を適用できる第３の実施例におけるレンズシステムの構成図である。図１および図５と同じ構成要素には、同じ符号を付したので、説明は省略する。図７の６００はレンズを着脱可能なカメラであり、７００はレンズ、８００はレンズ７００に着脱可能なレンズ駆動ユニットである。６０１はカメラ制御部であり、７０１は駆動ユニット８００から非接触受電するための受電コイル、７０２は受電コイル７０１の出力を整流するための電圧整流部である。
【００２６】
７０３は位置検出部４０２の出力を駆動ユニットに送信するためのレンズ通信部であり、８０１は駆動ユニット電源部、８０２はレンズ７００に非接触給電するための給電制御部である。つぎに８０３はカメラ制御部６０１とレンズ通信部７０３と通信を行う駆動ユニット通信部であり、８０４はズーム部４０１を制御するための制御部である。本実施例では、駆動ユニット通信部８０３と制御部８０４をCPU８１０で実現している。
【００２７】
以下に図８のフローチャートに沿って、CPU８１０の動作を詳細に説明する。まずカメラ制御部１０１より電源が供給されると、CPU８１０はS401にすすみ、カメラ制御部１０１との通信を初期化し、S402ではレンズ通信部７０３との通信を初期化、そしてS403にすすむ。S403ではカメラ制御部１０１からズーム制御信号を受信し、S404においては操作部５０１からズーム操作信号を入力する。つぎにS405ではズーム位置信号をレンズ通信部７０３より受信して、S406にすすみ、ズーム制御信号およびズーム操作信号、ズーム位置信号からズーム駆動信号を演算する。
【００２８】
つづいてS407においてズーム駆動信号を駆動部３０６に出力し、S408ではズーム位置信号をカメラ制御部１０１に送信する。以後、駆動ユニット電源部８０１への電源供給が切断されるまで、S403からS408を繰り返し実行する。
【００２９】
［実施例４］
以下に、本発明の実施の形態を添付の図９から図１１の図面に基づいて詳細に説明する。図９は本発明を適用できる第４の実施例におけるレンズシステムの構成図である。図１および図５、図７と同じ構成要素には、同じ符号を付したので、説明は省略する。
【００３０】
９００はレンズで、１０００はレンズ９００に着脱可能な駆動ユニットである。９０１は駆動ユニット１０００と通信するためのレンズ通信部であり、本実施例ではCPU９１０で実現している。つぎに１００１はレンズ通信部９０１およびカメラ制御部６０１と通信するための駆動ユニット通信部であり、本実施例では、駆動ユニット通信部１００１と制御部８０４をCPU１０１０で実現している。
【００３１】
以下に図１０のフローチャートに沿って、CPU９１０の動作を詳細に説明する。まず駆動ユニットより電源が供給されると、CPU９１０はS501にすすみ、駆動ユニット通信部１００１との通信を初期化し、S502ではズーム制御信号を駆動ユニット通信部１００１から受信する。S503では位置検出部４０２よりズーム位置信号を入力し、S504においてズーム制御信号とズーム位置信号を用いて、ズーム駆動信号を演算し、S505でズーム駆動信号を電流増幅部４０４に出力する。そしてS506において、ズーム位置信号を駆動ユニット通信部１００１に送信する。以後、駆動ユニット１０００からの電源供給が切断されるまで、S502からS506を繰り返し実行する。
【００３２】
つづいて図１１のフローチャートに沿って、CPU１０１０の動作を詳細に説明する。まずカメラ６００より電源が供給されると、CPU１０１０はS601にすすみ、カメラ制御部１０１との通信を初期化し、S602ではレンズ通信部９０１との通信を初期化する。S603では、操作部５０１からズーム操作信号を入力し、S604においてズーム制御信号をレンズ通信部９０１に送信する。つづいてS605では、レンズ通信部９０１よりズーム位置信号を受信し、S606にすすみズーム位置信号をカメラ制御部６０１に送信する。以後、カメラ６００からの電源供給が切断されるまで、S603からS606を繰り返し実行する。
【符号の説明】
【００３３】
１００  カメラ、１０１  カメラ制御部、２００  レンズ、２０１  フォーカス部、
２０２  位置検出部、２０３  レンズ電源部、２０４  給電制御部、
２０５  レンズ通信部、３００  駆動ユニット部、３０１  受電コイル、
３０２  電圧整流部、３０３  電源部、３０４  駆動ユニット通信部、３０５  モータ、
３０６  レンズ駆動部、３０７  制御部
【図１】
2016157032.tif 000003
【図２】
2016157032.tif 000004
【図３】
2016157032.tif 000005
【図４】
2016157032.tif 000006
【図５】
2016157032.tif 000007
【図６】
2016157032.tif 000008
【図７】
2016157032.tif 000009
【図８】
2016157032.tif 000010
【図９】
2016157032.tif 000011
【図１０】
2016157032.tif 000012
【図１１】
2016157032.tif 000013